(57)【要約】      （修正有）【課題】日当たりの良い場所にある建具等で太陽光発電が出来る。【解決手段】ブラインド、簾、がらり、ルーバーなども含む建具に、耐紫外線加工を施した透過型色付き表面パネル３又はフイルム、配線を装着し、0.3mmぐらいの厚さの結晶シリコン太陽電池や、その1/100の厚さのアモルファス等の軽量型太陽電池を貼って使用する。発電効率を出来るだけ低下させない耐紫外線加工を施した大面積の特殊な弾性ポリマーの透過型色付き表面パネルを装着し、建物壁面との調和を図る。透過型色付き表面パネル又はフイルムとは、一見太陽電池パネルに見えなくする、白色その他の色の太陽電池の上面に貼るパネル又はフイルムである。柔軟なフイルム状太陽電池や、単結晶型太陽電池、アモルファス太陽電池、低照度、高照度太陽電池等色々な太陽電池を、建具類の用途に合わせて、個々に最適な太陽電池を壁紙のように加工し、規格化し大量生産する。【選択図】図１
2008025164.tif 000002
【特許請求の範囲】
【請求項１】
建具に組み込む太陽電池部品。
【請求項２】
建具に組み込み使用する太陽電池に発電効率を出来るだけ低下させず耐紫外線加工を施した、大面積の透過型色付き表面パネル又はフイルムを装着し、室内での調和を図った部品。
【請求項３】
ブラインド等に使用する短冊形太陽電池部品。
【請求項４】
請求項３のブラインド等用短冊形太陽電池の裏面にも太陽電池を装着し、発電効率を向上させたもの。
【請求項５】
請求項３のブラインド等用短冊形太陽電池が発電した個々の電力を、窓枠への配線により集電するシステム、水素を生成させ蓄電してもよい。
【請求項６】
請求項３の短冊形太陽電池を使用したブラインドを、清掃のため、左右交互に分解しやすくする形態。
【請求項７】
請求項３のブラインド等用短冊形太陽電池を使用したブラインドに内蔵した、その発電電気で回る小型で静音の換気ファン。
【請求項８】
請求項２の太陽電池に採光型太陽電池を使用し、装着する透過型色付き表面パネル又はフイルムを、障子紙風にして障子としたもの。
【請求項９】
請求項１の建具用太陽電池を、補強のうえシャッターパネル、雨戸、ドア等に使用し、一軒の家で必要な電力を全て太陽電池で賄う太陽電池化住宅。
【発明の詳細な説明】
【技術分野】
【０００１】
薄型太陽電池、建具、ブラインド。
【背景技術】
【０００２】
薄型太陽電池、建具、ブラインド。  
【発明の開示】
【発明が解決しようとする課題】
【０００３】
太陽電池パネルの設置場所は、屋根上がほとんどだが、これは大掛かりで費用もかかり、室外に設置されているパネルの傷みも早い。もう少し手軽に太陽光発電で、省エネ活動が出来ないものだろうか。一軒の家で必要な電力を全て太陽電池で賄う太陽電池化住宅を実現したい。
【課題を解決するための手段】
【０００４】
日当たりの良い場所にある建具等用太陽電池を発明した。建具とは辞書によると、戸・障子・襖(ふすま)など、建物と外部また建物の内部を仕切るためにもうけた開閉できるものとなっているが、本発明の適用範囲は、もう少し広く、ブラインド、簾、がらり、ルーバーなども含む。結晶シリコン太陽電池は0.3mmぐらいの厚さで、アモルファスはその1/100の厚さしかないため、耐紫外線加工を施した透過型色付き表面パネル又はフイルム、配線を装着しても軽量型太陽電池を使用することは出来る。一般的な太陽電池は黒色又は紺色で、それらの色が映える場所は限られており建物との調和が難しかった。発電効率を出来るだけ低下させない、耐紫外線加工を施した大面積の特殊な弾性ポリマーの透過型色付き表面パネルを装着し、建物壁面との調和を図る。透過型色付き表面パネル又はフイルムとは、一見太陽電池パネルに見えなくする、白色その他の色の太陽電池の上面に貼るパネル又はフイルムである。太陽光発電のイメージカラーを透過型色付き表面パネル又はフイルムで確立し宣伝すれば、この太陽電池を使用している会社は、エコ意識の高い会社との宣伝になる。太陽電池には、柔軟なフイルム状太陽電池や、単結晶型太陽電池、アモルファス太陽電池、低照度、高照度太陽電池等等多くの色々な太陽電池があるが、建具も色々な用途に合わせて様々な種類があり、これら個々に最適な太陽電池を価格も検討しながら壁紙のように加工し、規格化し大量生産すれば、屋根型ソーラーパネルの生産との相乗効果で他の方法の発電コストに対抗出来る安さの価格となり、太陽電池の普及が一気に進む。
【発明の効果】
【０００５】
あらゆる建物で使用されている日当たりの良い場所にある建具等で太陽光発電が出来る。請求項２の技術を使えば一見しただけでは、普通の建具と同じである。概算だが、高照度と言われる屋根用太陽電池では大体２５平米くらいの面積があれば、一般民家で必要な４ｋｗの電力量は確保できる。請求項８は更に多くの建材で発電面積を稼ぎ一軒の一般家庭で必要な電力を全て太陽電池で賄う太陽電池化住宅を実現する。
【発明を実施するための最良の形態】
【０００６】
色々な太陽電池があるが、建具の用途に合わせて個々に最適な太陽電池を価格も検討しながら壁紙のように使用する。壁紙にすると、絵柄が発電の邪魔となりそうである。建具は太陽電池を貼るフレームやパネルとして好適である。必要があれば発電効率を出来るだけ低下させない、耐紫外線加工を施した特殊な弾性ポリマーの透過型色付き表面パネルを装着し、建物壁面との調和を図る。複雑な構造を持つブラインドに組み込んだ場合で、本発明の実施事例を示す。現在の木製ブラインドのスラットは厚さが３ｍｍ以上有り、一方結晶シリコン太陽電池は0.3mmぐらいの厚さで、アモルファスはその1/100の厚さのため、耐紫外線加工を施した透過型色付き表面パネルやフレーム、配線を装着しても軽量型太陽電池で代替することは、極めて容易である。この厚さは必要な要件を満たせば薄いほど好ましい。普通太陽電池というと、直方形を連想するが、ブラインドのスラット（ブラインドの羽根）の短冊形の細長い形は一枚でも、長さがあるので面積的には結構大きいものであり、多くの枚数のスラットを使用することにより、合成面積は大きなものを得られる。ブラインドを使用する目的が日差し除けの場合、当たる日光の量が多いのでブラインド等用短冊形太陽電池の使用にうってつけである。最近のビルの窓は面積が大きいためかなりの量のクリーンな電力が得られる。ブラインドの優れた特性として、角度を調整すれば、発電をしながら、室内より、窓の外を見ることが出来る。太陽電池をスラット（ブラインドの羽根）と同じ幅５１ｍｍ位、長さ４５０ｍｍから２４００ｍｍ位にする。幅を決めておき、長さを調整することになるが、太陽電池の平面形はブラインドのスラットと同じ作りとする。太陽電池には多くの種類があるが、ブラインドも色々な使用環境に合わせて色々な種類があり、これら個々に最適な太陽電池を価格も検討しながらスラットに加工し規格化し大量生産すれば、屋根型ソーラーパネルの生産との相乗効果で価格も安く出来る。スラットの面を凸面凹面とすることも出来る。スラット周辺部は通常のブラインドと同じように、人体を傷つけない形状とする。スラットで発電された電気の集電は、各スラットに接触している、操作コード、昇降コード、ラダーコード、ラダーテープのいずれかにフレキシブル配線を埋め込み行う。故障した太陽電池スラットが出ても、他の正常発電のスラットからの集電は可能な配線とする。スラットの左右どちらからも、送電出力可能とする。太陽電池が発電した電力を窓枠の配線により集電する場合、建物に窓枠まで先行配線が実施されていることが望ましい。余剰電力はクリーンな電気として売電したり、水素の生成に使用する。単体で発電する場合、携帯用太陽電源キットのようにブラインド取り付け用ブラケットの周囲に、一時電気保持部を設ける。スラットごとに室内内側から見えない部分に作動状態確認用のＬＥＤ灯を付け、故障がないか一目で判るようにする。このＬＥＤ灯の近傍にスラット毎の作動スイッチを設けることも出来る。軽量の短冊太陽電池パネルでも、従来型ブラインドスラットより少々重くなるので、ブラインドのあらゆる部品に補強が必要となる。しかし重量があることで従来ブラインドの弱点だった、風の影響を受けにくくなる��効率的に太陽電池で発電するためには、スラットの汚れの清掃が欠かせない、請求項６では、短冊形太陽電池を使用したブラインドを、清掃のため、左右交互に分解しやすくした。これは、一般的なブラインドは左右で昇降コードが在るが、これらが清掃時のみ簡単に取り外せる構造とすると、各スラットが残った昇降コードを基点として扇のように開き、容易に清掃出来る。この昇降コードの脱着によりスラット毎の作動スイッチとすることも出来る。通常ブラインドは巻き上げが出来るが、本清掃用分解機能を優先される機能として追加したために、その巻上げ機構は少々使いずらくなる。請求項８では請求項２の太陽電池に採光型太陽電池を使用し、装着する透過型色付き表面パネル又はフイルムを、障子紙風にして障子としたもの。いずれの建具もリサイクルがし易い構造とする。
【０００７】
「実施形態の効果」
いままでの建具と外見上はほとんど変らないのに、省エネが実行出来る。ブラインド製造で確立された、多くのノウハウが活用出来る。ブラインドは多くの場合室内に設置されるため、壊れにくくなる。採光型太陽電池は光の通りが悪くなるが、障子は本来向こう側が見えないので好都合である。障子紙の機能に近い透過型色付きフイルムを使用すれば、障子には、光が当たっていることが多いので、太陽光発電に向いている。
【０００８】
「他の実施形態」
請求項２の太陽電池に発電効率を出来るだけ低下させず耐紫外線加工を施した、透過型色付き表面パネル又はフイルムを装着し、建物外壁部品として使用する。屋外での使用には対天候性のある高照度対応の大面積薄型表面パネルの使用が望ましい。
【図面の簡単な説明】
【０００９】
【図１】本発明をブラインドで実施した拡大斜視図（２０倍）。
【符号の説明】
【００１０】
１  ブラインドのスラット（安全周囲形状）  ２  ＬＥＤ及びスイッチ
３  耐紫外線透過型色付き表面パネル        ４  電気集電接点
５  昇降コード兼集電ケーブル穴            ６  断面線（スラット横方向）
７  太陽電池本体                          ８  裏面カバー
【図１】
2008025164.tif 000003